(57)【要約】  成形用スタックアセンブリにおいて使用する金型分割インサート、特に、ボトル金型プリフォームを作成するための射出成形用スタックアセンブリにおいて使用するプリフォーム金型ネックリングインサート。分割インサートは本体を備え、その上に成形面が構成される。分割インサートはまた、仕切りが内部に配置されている、本体内に構成される冷却液チャネルも含む。仕切りは、冷却液チャネルの一部分を第１の分岐路と第２の分岐路とに分割する。移送冷却液チャネルは、それらの分岐路間に構成される。
2008542066.tif 000002
【特許請求の範囲】
【請求項１】
成形品を製造するための成形用インサートスタックアセンブリにおいて、相補的な対で協働するように構成される金型分割インサートであって、
本体と、
該本体上に構成される成形面と、
該本体内に構成される冷却液チャネルであって、該冷却液チャネルの一部分を第１の分岐路及び第２の分岐路に分割するために該冷却液チャネル内に配置されると共に、該分岐路の間に移送冷却液チャネルを画定するように構成される、仕切りを収容するように構成される、冷却液チャネルと
を備える、金型分割インサート。
【請求項２】
前記冷却液チャネルは、
効果的な冷却液チャネルであって、第１の端及び第２の端と、該端の中間にある第１の接続ポータル及び第２の接続ポータルとを有する、前記本体内に構成される、効果的な冷却液チャネルと、
第１の接続冷却液チャネルであって、前記本体内に、該本体の外面上の入口ポータルと前記第１の接続ポータルとの間に構成される、第１の接続冷却液チャネルと、
第２の接続冷却液チャネルであって、前記本体内に、前記第２の接続ポータルと前記本体の前記外面上の出口ポータルとの間に構成される、第２の接続冷却液チャネルと
を備える、請求項１に記載の金型分割インサート。
【請求項３】
前記分岐路は、前記効果的な冷却液チャネルの前記端の間の冷却液流を支持するように構成される、請求項２に記載の金型分割インサート。
【請求項４】
前記効果的な冷却液チャネルは、前記成形面の一部分の外周の大部分の周りに、且つ該一部分の外周にほぼ隣接して延在するように構成される、請求項３に記載の金型分割インサート。
【請求項５】
前記分割インサートを使用して製造される前記成形品は、プリフォームであり、前記成形面は、プリフォームネック部に沿った外面を成形するように構成される、請求項４に記載の金型分割インサート。
【請求項６】
前記成形面の前記一部分は、前記プリフォームネック部の肉厚特徴部に対応する、請求項５に記載の金型分割インサート。
【請求項７】
前記効果的な冷却液チャネルは、該効果的な冷却液チャネルの前記第１の端及び前記第２の端に隣接したプラグを含むように構成される、請求項３に記載の金型分割インサート。
【請求項８】
前記移送冷却液チャネルは、前記仕切りの一方の端と前記プラグの内面との間に構成される、請求項７に記載の金型分割インサート。
【請求項９】
前記移送冷却液チャネルは、前記仕切りに構成される、請求項７に記載の金型分割インサート。
【請求項１０】
前記プラグは、前記仕切りが内面から延在するように構成されているプラグヘッドを含む、請求項９に記載の金型分割インサート。
【請求項１１】
前記仕切りは、前記プラグヘッドの長手方向軸に対して傾いていると共に、前記効果的な冷却液チャネルの隣接した内面の輪郭に沿って曲線を付けた外縁を有する、請求項１０に記載の金型分割インサート。
【請求項１２】
前記仕切りは、前記本体内に構成される相補的な位置決め部材と協働するように構成される位置決め部材を含む、請求項９に記載の金型分割インサート。
【請求項１３】
前記効果的な冷却液チャネルは、複数のチャネルセグメントを含む、請求項３に記載の金型分割インサート。
【請求項１４】
前記効果的なチャネルセグメントのうちの１つは、直線方向に延在する、請求項１３に記載の金型分割インサート。
【請求項１５】
前記直線チャネルセグメントは、前記成形面に対して接線方向である、請求項１４に記載の金型分割インサート。
【請求項１６】
前記効果的なチャネルセグメントのうちの１つは、湾曲して延在する、請求項１３に記載の金型分割インサート。
【請求項１７】
前記湾曲チャネルセグメントは、前記成形面と同心である、請求項１６に記載の金型分割インサート。
【請求項１８】
前記本体はほぼ矩形のフランジ部分を含み、該フランジ部分は、上面、底面、後面、前方面、第１の側面及び第２の側面を有する、請求項１３に記載の金型分割インサート。
【請求項１９】
前記前方面の少なくとも一部分は、前記相補的な分割インサートの嵌合接続面として構成される、請求項１８に記載の金型分割インサート。
【請求項２０】
前記成形面は前記前方面に形成される半円筒形の凹みの表面に沿って配置される、請求項１９に記載の金型分割インサート。
【請求項２１】
前記複数の効果的なチャネルセグメントは、前記本体の前記上面と前記底面との間に構成されると共に該上面及び該底面とほぼ平行である、請求項２０に記載の金型分割インサート。
【請求項２２】
前記複数の効果的なチャネルセグメントは、第１のチャネルセグメントと第２のチャネルセグメントとを含み、該第１のチャネルセグメントと該第２のチャネルセグメントは、前記第１の側面及び前記第２の側面にそれぞれ隣接した第１の端と、前記本体内で交差する第２の端の間に延在するように配置される、請求項２０に記載の金型分割インサート。
【請求項２３】
前記本体は、前記上面及び前記底面のうちの一方から延出する突出部分をさらに含む、請求項２２に記載の金型分割インサート。
【請求項２４】
前記本体の前記突出部分の外面は、前記成形用インサートスタックアセンブリ内の前記分割インサートを位置合わせするように構成される、請求項２３に記載の金型分割インサート。
【請求項２５】
前記成形面の一部分は、前記突出部分の内面に沿って配置される、請求項２４に記載の金型分割インサート。
【請求項２６】
前記本体は、前記成形用インサートスタックアセンブリ内の前記分割インサートを位置合わせするように構成される凹み部分をさらに含む、請求項２４に記載の金型分割インサート。
【請求項２７】
成形用インサートスタックアセンブリであって、
成形キャビティを間に構成する際に協働するように構成される、複数の成形用インサートを備え、該複数の成形用インサートは、相補的な対の分割インサートを含み、該分割インサートのそれぞれは、
本体と、
前記本体上に構成される成形面と、
前記本体内に構成される冷却液チャネルであって、該冷却液チャネルの一部分を第１の分岐路及び第２の分岐路に分割するために該冷却液チャネル内に配置されると共に、該分岐路の間に移送冷却液チャネルを画定するように構成される、仕切りを受けるように構成される、冷却液チャネルと
を備える、成形用インサートスタックアセンブリ。
【請求項２８】
前記冷却液チャネルは、
効果的な冷却液チャネルであって、第１の端及び第２の端と、該端の中間にある第１の接続ポータル及び第２の接続ポータルとを有する、前記本体内に構成される、効果的な冷却液チャネルと、
第１の接続冷却液チャネルであって、前記本体内に、該本体の外面上の入口ポータルと前記第１の接続ポータルとの間に構成される、第１の接続冷却液チャネルと、
第２の接続冷却液チャネルであって、前記本体内に、前記第２の接続ポータルと前記本体の前記外面上の出口ポータルとの間に構成される、第２の接続冷却液チャネルと
を備える、請求項２７に記載の成形用インサートスタックアセンブリ。
【請求項２９】
前記分岐路は、前記効果的な冷却液チャネルの前記端の間の冷却液流を支持するように構成される、請求項２８に記載の成形用インサートスタックアセンブリ。
【請求項３０】
前記効果的な冷却液チャネルは、前記成形面の一部分の外周の大部分の周りに、且つ該一部分の外周にほぼ隣接して延在するように構成される、請求項２９に記載の成形用インサートスタックアセンブリ。
【請求項３１】
前記分割インサートを使用して製造される前記成形品は、プリフォームであり、前記成形面は、プリフォームネック部に沿って外面を成形するように構成される、請求項３０に記載の成形用インサートスタックアセンブリ。
【請求項３２】
前記成形面の前記一部分は、前記プリフォームネック部の肉厚特徴部に対応する、請求項３１に記載の成形用インサートスタックアセンブリ。
【請求項３３】
前記効果的な冷却液チャネルは、該効果的な冷却液チャネルの前記第１の端及び前記第２の端に隣接したプラグを含むように構成される、請求項２９に記載の成形用インサートスタックアセンブリ。
【請求項３４】
前記移送冷却液チャネルは、前記仕切りの一方の端と前記プラグの内面との間に構成される、請求項３３に記載の成形用インサートスタックアセンブリ。
【請求項３５】
前記移送冷却液チャネルは、前記仕切りに構成される、請求項３３に記載の成形用インサートスタックアセンブリ。
【請求項３６】
前記プラグは、前記仕切りが内面から延在するように構成されているプラグヘッドを含む、請求項３５に記載の成形用インサートスタックアセンブリ。
【請求項３７】
前記仕切りは、前記プラグヘッドの長手方向軸に対して傾いていると共に、前記効果的な冷却液チャネルの隣接した内面の輪郭に沿って曲線を付けた外縁を有する、請求項３６に記載の成形用インサートスタックアセンブリ。
【請求項３８】
前記仕切りは、前記本体内に構成される相補的な位置決め部材と協働するように構成される位置決め部材を含む、請求項３５に記載の成形用インサートスタックアセンブリ。
【請求項３９】
前記効果的な冷却液チャネルは、複数のチャネルセグメントを含む、請求項２９に記載の成形用インサートスタックアセンブリ。
【請求項４０】
前記効果的なチャネルセグメントのうちの１つは、直線方向に延在する、請求項３９に記載の成形用インサートスタックアセンブリ。
【請求項４１】
前記直線チャネルセグメントは、前記成形面に対して接線方向である、請求項４０に記載の成形用インサートスタックアセンブリ。
【請求項４２】
前記効果的なチャネルセグメントのうちの１つは、湾曲して延在する、請求項３９に記載の成形用インサートスタックアセンブリ。
【請求項４３】
前記湾曲チャネルセグメントは、前記成形面と同軸上にある、請求項４２に記載の成形用インサートスタックアセンブリ。
【請求項４４】
前記本体はほぼ矩形のフランジ部分を含み、該フランジ部分は、上面、底面、後面、前方面、第１の側面及び第２の側面を有する、請求項３９に記載の成形用インサートスタックアセンブリ。
【請求項４５】
前記前方面の少なくとも一部分は、前記相補的な分割インサートの嵌合接続面として構成される、請求項４４に記載の成形用インサートスタックアセンブリ。
【請求項４６】
前記成形面は前記前方面に形成される半円筒形の凹みの表面に沿って配置される、請求項４５に記載の成形用インサートスタックアセンブリ。
【請求項４７】
前記複数の効果的なチャネルセグメントは、前記本体の前記上面と前記底面との間に構成されると共に該上面及び該底面とほぼ平行である、請求項４６に記載の成形用インサートスタックアセンブリ。
【請求項４８】
前記複数の効果的なチャネルセグメントは、第１のチャネルセグメントと第２のチャネルセグメントとを含み、該第１のチャネルセグメントと該第２のチャネルセグメントは、前記第１の側面及び前記第２の側面にそれぞれ隣接した第１の端と、前記本体内で交差する第２の端の間に延在するように配置される、請求項４６に記載の成形用インサートスタックアセンブリ。
【請求項４９】
前記本体は、前記上面及び前記底面のうちの一方から延出する突出部分をさらに含む、請求項４８に記載の成形用インサートスタックアセンブリ。
【請求項５０】
前記本体の前記突出部分の外面は、前記成形用インサートスタックアセンブリ内の前記分割インサートを位置合わせするように構成される、請求項４９に記載の成形用インサートスタックアセンブリ。
【請求項５１】
前記成形面の一部分は、前記突出部分の内面に沿って配置される、請求項５０に記載の成形用インサートスタックアセンブリ。
【請求項５２】
前記本体は、前記成形用インサートスタックアセンブリ内の前記分割インサートを位置合わせするように構成される凹み部分をさらに含む、請求項５０に記載の成形用インサートスタックアセンブリ。
【請求項５３】
射出成形用金型であって、
金型シューと、
前記金型シュー内に配置される、少なくとも１つの成形用スタックアセンブリと
を備え、該成形用スタックアセンブリは、
成形キャビティを間に構成する際に協働するように構成される、複数の成形用インサートを備え、該複数の成形用インサートは、相補的な対の分割インサートを含み、該分割インサートのそれぞれは、
本体と、
前記本体上に構成される成形面と、
前記本体内に構成される冷却液チャネルであって、該冷却液チャネルの一部分を第１の分岐路及び第２の分岐路に分割するために該冷却液チャネル内に配置されると共に、該分岐路の間に移送冷却液チャネルを画定するように構成される、仕切りを受けるように構成される、冷却液チャネルと
を備える、射出成形用金型。
【請求項５４】
前記冷却液チャネルは、
効果的な冷却液チャネルであって、第１の端及び第２の端と、該端の中間にある第１の接続ポータル及び第２の接続ポータルとを有する、前記本体内に構成される、効果的な冷却液チャネルと、
第１の接続冷却液チャネルであって、前記本体内に、該本体の外面上の入口ポータルと前記第１の接続ポータルとの間に構成される、第１の接続冷却液チャネルと、
第２の接続冷却液チャネルであって、前記本体内に、前記第２の接続ポータルと前記本体の前記外面上の出口ポータルとの間に構成される、第２の接続冷却液チャネルと
を備える、請求項５３に記載の射出成形用金型。
【請求項５５】
前記分岐路は、前記効果的な冷却液チャネルの前記端の間の冷却液流を支持するように構成される、請求項５４に記載の射出成形用金型。
【請求項５６】
前記効果的な冷却液チャネルは、前記成形面の一部分の外周の大部分の周りに、且つ該一部分の外周にほぼ隣接して延在するように構成される、請求項５５に記載の射出成形用金型。
【請求項５７】
前記分割インサートを使用して製造される前記成形品は、プリフォームであり、前記成形面は、プリフォームネック部に沿って外面を成形するように構成される、請求項５６に記載の射出成形用金型。
【請求項５８】
前記成形面の前記一部分は、前記プリフォームネック部の肉厚特徴部に対応する、請求項５７に記載の射出成形用金型。
【請求項５９】
前記効果的な冷却液チャネルは、該効果的な冷却液チャネルの前記第１の端及び前記第２の端に隣接したプラグを含むように構成される、請求項５５に記載の射出成形用金型。
【請求項６０】
前記移送冷却液チャネルは、前記仕切りの一方の端と前記プラグの内面との間に構成される、請求項５９に記載の射出成形用金型。
【請求項６１】
前記移送冷却液チャネルは、前記仕切りに構成される、請求項５９に記載の射出成形用金型。
【請求項６２】
前記プラグは、前記仕切りが内面から延在するように構成されているプラグヘッドを含む、請求項６１に記載の射出成形用金型。
【請求項６３】
前記仕切りは、前記プラグヘッドの長手方向軸に対して傾いていると共に、前記効果的な冷却液チャネルの隣接した内面の輪郭に沿って曲線を付けた外縁を有する、請求項６２に記載の射出成形用金型。
【請求項６４】
前記仕切りは、前記本体内に構成される相補的な位置決め部材と協働するように構成される位置決め部材を含む、請求項６１に記載の射出成形用金型。
【請求項６５】
前記効果的な冷却液チャネルは、複数のチャネルセグメントを含む、請求項５５に記載の射出成形用金型。
【請求項６６】
前記効果的なチャネルセグメントのうちの１つは、直線方向に延在する、請求項６５に記載の射出成形用金型。
【請求項６７】
前記直線チャネルセグメントは、前記成形面に対して接線方向である、請求項６６に記載の射出成形用金型。
【請求項６８】
前記効果的なチャネルセグメントのうちの１つは、湾曲して延在する、請求項６５に記載の射出成形用金型。
【請求項６９】
前記湾曲チャネルセグメントは、前記成形面と同心である、請求項６８に記載の射出成形用金型。
【請求項７０】
前記本体はほぼ矩形のフランジ部分を含み、該フランジ部分は、上面、底面、後面、前方面、第１の側面及び第２の側面を有する、請求項６５に記載の射出成形用金型。
【請求項７１】
前記前方面の少なくとも一部分は、前記相補的な分割インサートの嵌合接続面として構成される、請求項７０に記載の射出成形用金型。
【請求項７２】
前記成形面は前記前方面に形成される半円筒形の凹みの表面に沿って配置される、請求項７１に記載の射出成形用金型。
【請求項７３】
前記複数の効果的なチャネルセグメントは、前記本体の前記上面と前記底面との間に構成されると共に該上面及び該底面とほぼ平行である、請求項７２に記載の射出成形用金型。
【請求項７４】
前記複数の効果的なチャネルセグメントは、第１のチャネルセグメントと第２のチャネルセグメントとを含み、該第１のチャネルセグメントと該第２のチャネルセグメントは、前記第１の側面及び前記第２の側面にそれぞれ隣接した第１の端と、前記本体内で交差する第２の端の間に延在するように配置される、請求項７２に記載の射出成形用金型。
【請求項７５】
前記本体は、前記上面及び前記底面のうちの一方から延出する突出部分をさらに含む、請求項７４に記載の射出成形用金型。
【請求項７６】
前記本体の前記突出部分の外面は、前記成形用インサートスタックアセンブリ内の前記分割インサートを位置合わせするように構成される、請求項７５に記載の射出成形用金型。
【請求項７７】
前記成形面の一部分は、前記突出部分の内面に沿って配置される、請求項７６に記載の射出成形用金型。
【請求項７８】
前記本体は、前記成形用インサートスタックアセンブリ内の前記分割インサートを位置合わせするように構成される凹み部分をさらに含む、請求項７６に記載の射出成形用金型。
【発明の詳細な説明】
【技術分野】
【０００１】
本発明は、一般的に、成形用スタックアセンブリにおいて使用する金型分割インサートに関し、排他的ではないが、特に、ボトルにブロー成形することができるタイプのプラスチック製のプリフォーム又はパリソンのネック部の外面を成形するように構成されるプリフォーム金型ネックリングインサートに適用可能である。より詳細には、本発明は、分割インサートの冷却液チャネルにおける仕切りの使用に関する。当該仕切りは、配置される成形面の部分のほぼ外周を延びる効果的な冷却液チャネルの両端間の冷却液流を構成する。
【背景技術】
【０００２】
一般に知られているように、金型分割インサートは、成形品内に取り込まれかねない成形品の部分（たとえば、ねじ部、突起、リング、及び他の横方向に突出している特徴部）を成形するために、その相補的な対で使用される。特に、成形面の部分は、相補的な対の分割インサート間で通常は半分に分離しており、成形品を型から外すステップは、相補的な分割インサートを分離することにより達成される。
【０００３】
特に限定はしないが、後にプラスチックボトルにブロー成形されるタイプの射出成形プリフォームの製造用の成形用スタックアセンブリにおける分割インサートの使用が既知である。そのようなスタックアセンブリでは、分割インサートは、成形品のネック部を形成する際のそれらの役割のために、ネックリングインサートとして一般的に知られている。
【０００４】
プラスチック製プリフォームの製造用の通常の射出成形用金型は、１つ又は複数の成形キャビティを含む。各成形キャビティは、一般的に金型インサートのスタックアセンブリ内に構成される。射出成形用金型においては、スタックアセンブリは通常、水冷プレートのセットとホットランナとを含む金型シュー内に配置される。ホットランナは、成形機の射出ユニットから受け取られる、射出されるプラスチック溶融液の流れを成形キャビティ内に分配する。
【０００５】
図１を参照すると、射出成形用金型１の部分に沿った断面により、金型シュー内に配置される一般的な成形用インサートスタックアセンブリ５０が示されている。成形用インサートスタックアセンブリ５０は、ネックリングインサート対５２と、金型キャビティインサート５４と、ゲートインサート５６と、固定リング５８と、コアインサート６０とを含み、これらは、配置される一連の成形面に沿って、成形キャビティ６１を設ける際に協働するように構成される。金型シューは、キャビティプレート６２と、コアプレート６４と、ストリッパプレート６６と、スライド対６８とを含む。もちろん、成形用インサートスタックアセンブリ５０には多くの他の形態がある。たとえば、成形用インサートスタックアセンブリ５０を固定リングなしで構成することは珍しくなく、その場合、コアインサートは、固定リングの特徴を含むように構成される。
【０００６】
より詳細には、キャビティインサート５４は、キャビティプレート６２内の相補的に構成される穴内に配置され、一方では、ゲートインサート５６は、キャビティインサート５４の上部内に構成される穴内に配置される。キャビティプレート６２は、冷却液源及び冷却液シンク（図示せず）を備えるキャビティインサート５４及びゲートインサート５６の周囲に構成される冷却液チャネル５５、５７に接続する冷却液チャネル７２、７４を含む。分かるように、成形キャビティ６１の外面の大部分が、プリフォームの本体と端部とに対応し、キャビティインサート５４及びゲートインサート５６のそれぞれに配置される成形面部分９０、９２に沿って設けられる。
【０００７】
同様に、コアインサート６０は、コアプレート６４の前面上に配置されると共に、固定リング５８により当該コアプレート６４上に保持される。コアプレート６４はまた、コアインサート６０内に構成される冷却液チャネルを、冷却液源及び冷却液シンク（図示せず）に接続するための冷却液チャネル７６、７７、７８を含む。コア冷却液チャネルは、コアインサート６０の長さの大部分に沿って構成される穴の内面とコアインサート６０内に配置されるコア冷却チューブ８０との間に設けられる。代替的に、１９８６年２月１８日付けでBlank他に付与された米国特許第４，５７１，１７１号に記載されているように、流れ仕切りを使用して、相互接続チャネル内へコア冷却液チャネルを分割することができる。分かるように、成形キャビティ６１の内面は、プリフォームの内面に対応し、コアインサート６０に沿って配置される成形面部分９１に沿って設けられる。同様に、成形キャビティ６１の上面は、プリフォームの上部に対応して、固定リング５８に配置される成形面部分９４に沿って設けられる。
【０００８】
ネックリングインサート対５２がキャビティインサート５４とコアインサート６０との間に配置される。分かるように、成形キャビティ６１の外面の残りの部分は、プリフォームのネック部に対応し、ネックリングインサート対５２の内面に沿って配置される成形面部分９６に沿って設けられる。ネックリングインサート対５２は、スライド対６８の隣接したスライドに取り付けられる相補的なネックリングインサート対を含む。スライド対６８は、ストリッパプレート６６の上面に滑動可能に取り付けられる。ストリッパプレート６６は、コアプレート６４の上面に載置されると共に、固定リング５８とコアインサート６０とのための開口を含む。一般的に知られているように、また例えば２００４年１０月５日付けでMai他に付与された米国特許第６，７９９，９６２号に概して記載されるように、ストリッパプレート６６は、金型が開いた構成に配置される際に、コアプレート６１に対して延在可能に構成される。それにより、スライド対６８と、当該スライド対６８に取り付けられる相補的なネックリングインサートとを、カム機構（図示せず）を介して、成形キャビティ６１から成形されたプリフォームを外すために横方向に駆動することができる。スライド対６８はまた、出入口冷却液チャネル７０（そのうちの１つだけを図示する）も含むことにより、各ネックリングインサート内に構成される冷却液チャネル１７を冷却液源及び冷却液シンク（図示せず）に接続する。
【０００９】
通常のネックリングインサートは、ほぼ矩形のフランジ部分５の上面と底面とから延出する一対の突出部分４を含む本体を有する。突出部分の外側部分は通常、隣接したキャビティインサート５４、固定リング５８又はコアインサート６０上の相補的な雌型テーパ部と協働する雄型テーパとして構成されることにより、ネックリングインサート対をそれらと位置合わせする。もちろん、隣接したインサートの雄型テーパ部及び雌型テーパ部の差し込み、テーパロックの使用等の、ネックリングインサートを隣接したインサートと位置合わせするための他の手段が一般的に知られている。フランジ部分と突出部分は通常、工具鋼又はステンレス鋼等の剛性及び耐久性のある材料から成る一体型本体上に構成される。
【００１０】
ネックリング冷却液チャネル１７は通常、その中心部分に２つの交差する円筒形チャネルを含むという単純な構成で各ネックリングインサートのフランジ部分５内に（たとえば、穿孔により）形成される。前述の冷却機構は、フランジ部分５を冷却し、これにより当該フランジ部分５に載置される突出部分４と成形面とを伝導により冷却する。
【００１１】
しかしながら、ますます増加する成形サイクルとそれに伴う金型冷却時間の短縮とにより、温度勾配が成形面の周りに与えられる可能性があり、これが、成形されるプリフォームにおけるいくつかの欠陥の原因となりかねない。特に、不均一な冷却の影響が、冷却が最小である（すなわち成形面と冷却液チャネル１７までの距離が最大である）ネックリングインサート間の嵌合接続面に近接する角のある位置で、比較的肉厚なプリフォーム特徴部（たとえば、プリフォームの支持レッジ９８又はピルファープルーフバンド（pilfer proof band：ＰＰバンド）９９）において局所的な「ヒケ」（すなわち小さな凹み）として現れる可能性がある。
【００１２】
上述のネックリング冷却構成の代替形態が提供されている（１９９７年２月４日付けでGellertに付与された米国特許第５，５９９，５６７（‘５６７）号又は２００４年１月２７日付けでGellertに付与された米国再発行特許第３８，３９６（‘３９６）号参照）。特に、これらの参考文献は、成形面部分のほぼ外周を延在する効果的なチャネルを含む冷却液チャネル構成を含むネックリングインサートを記載している。
【００１３】
‘５６７号特許は、載置される湾曲した内側の成形面の周囲に延在する湾曲した内側チャネルを含む封鎖された冷却液チャネル構成を有するネックリング半割体を記載している。当該参考文献は、ネックリングインサート対を組み立てるための手段については全く述べていないが、当該ネックリングインサート対内に冷却液チャネル構成を形成することにより、従来の金属機械加工方法を使用しないことが明らかである。
【００１４】
‘３９６号特許は、外側のフランジ部分に嵌合する内側の円筒形部分を形成するステップを含む、ネックリングインサートを作成する方法を記載している。ここで、当該内側部分は従来の機械加工方法ではなく、鋳込み成形により作成される。内側部分は、溝を有するほぼ円筒形の外面を有することにより、２つの冷却液チャネルの内側部分を部分的に形成する。各冷却液チャネルは、ネックリングインサートのうちの１つの湾曲した内面の周囲に延在する。外側フランジ部分は、貫通開口を含み、当該開口は、内側の円筒形部分の外面の周囲に嵌まる内面と、冷却液チャネルに向かって延在するように構成される入口及び出口のそれぞれとを有する。外側フランジ部分と内側の円筒形部分とは、別個に形成された後、ロウ付けされる。次に、一体結合された内側部分と外側部分とは、中心の長手方向軸に沿って半分に切断されて、相補的なネックリングインサート対を形成する。
【発明の開示】
【発明が解決しようとする課題】
【００１５】
ネックリングインサートの上記の例は、成形面の周囲の不均一な冷却問題を緩和し得る冷却液チャネル構成を含むが、当該ネックリングインサートはまた、複雑であると共に製造する費用が高い。したがって、載置される成形面の少なくとも一部分のほぼ均一な冷却をもたらすだけでなく、比較的単純であると共に製造するのにより経済的な、分割インサート用の冷却液チャネル構成が必要とされる。
【課題を解決するための手段】
【００１６】
本発明の実施の形態によれば、分割インサートが提供され、当該分割インサートは、従来技術の上記で特定された欠点のうちの少なくとも１つを回避するか、又は緩和することが有利である。
【００１７】
特に、本発明の金型分割インサートは、冷却液チャネル構成を含むことにより、成形面を均一に冷却し、したがって、成形品におけるヒケの問題を緩和し、冷却液チャネル構成はまた、比較的単純であると共に製造するのにより経済的である。
【００１８】
本発明の第１の態様によれば、金型分割インサートが提供される。金型分割インサートは、成形品を製造するための成形用インサートスタックアセンブリにおいて、相補的な対で協働するように構成される。分割インサートは、本体を備え、その上に成形面が構成される。分割インサートは冷却液チャネルも含み、当該冷却液チャネルは、本体内に構成されると共に、冷却液チャネルの一部分を第１の分岐路及び第２の分岐路に分割するために冷却液チャネル内に配置される仕切りを収容するように構成され、当該仕切りは、第１の分岐路及び第２の分岐路間に移送冷却液チャネルを画定するように構成される。
【００１９】
本発明の第２の態様によれば、成形用インサートスタックアセンブリが提供される。成形用スタックアセンブリは、複数の成形用インサートを備え、当該インサートは、成形キャビティを間に構成する際に協働するように構成される。複数の成形用インサートは、分割インサートの相補的な対を含む。分割インサートのそれぞれは、本体を備え、その上に成形面が構成される。分割インサートは冷却液チャネルも含み、当該冷却液チャネルは、本体内に構成されると共に、冷却液チャネルの一部分を第１の分岐路及び第２の分岐路に分割するために冷却液チャネル内に配置される仕切りを収容するように構成され、当該仕切りは、第１の分岐路及び第２の分岐路間に移送冷却液チャネルを画定するように構成される。
【００２０】
本発明の第３の態様によれば、射出成形用金型が提供される。射出成形用金型は、少なくとも１つの成形用スタックアセンブリが内部に収容されている金型シューを含む。成形用スタックアセンブリは、成形キャビティを間に構成する際に協働するように構成される、複数の成形用インサートを含む。複数の成形用インサートは、相補的な対の分割インサートを含む。分割インサートのそれぞれは、本体を備え、その上に成形面が構成される。分割インサートは冷却液チャネルも含み、当該冷却液チャネルは、本体内に構成されると共に、冷却液チャネルの一部分を第１の分岐路及び第２の分岐路に分割するために冷却液チャネル内に配置される仕切りを収容するように構成され、当該仕切りは、第１の分岐路及び第２の分岐路間に移送冷却液チャネルを画定するように構成される。
【００２１】
次に、本発明の例示的な実施形態を添付の図面を参照して説明する。
【発明を実施するための最良の形態】
【００２２】
本発明の第１の実施形態に従い、金型分割インサート対を、図２Ａに関して示す。当該金型分割インサート対は、プリフォームのネック部（図示せず）を成形するためのプリフォーム成形ネックリングインサート対１５２としての使用のために構成される。ネックリングインサート対１５２は、一対の相補的なネックリングインサート１０３、１０３’を備える。本発明の実施形態の相補的なネックリングインサート１０３、１０３’は同様に構成されるので、以下の代替的な実施形態においても同様に、ネックリングインサート１０３のみを詳細に説明する。
【００２３】
図２Ｂ及び図２Ｃに関してさらに示すように、ネックリングインサート１０３は、一体型本体から形成されることが好ましく、当該本体は、上側突出部分１０４と下側突出部分１０６とを含み、これらの部分はフランジ部分１０５の上面１７０及び底面１７２からそれぞれ延出する。特に限定はしないが、フランジ部分１０５は、ほぼ矩形の形状を有するように構成されることが好ましく、上側突出部分１０４と下側突出部分１０６とは、半環状の形状を有するように構成されることが好ましい。したがって、フランジ部分１０５は、後面１６０、対向する第１の側面１６２及び第２の側面１６４、上面１７０、底面１７２、並びに前方面１７４を含む。上側突出部分１０４と下側突出部分１０６とは、それぞれ上面１６６及び底面１６８、テーパ面１２０、１２１、並びにフランジ部分１０５の前方面１７４の延長部を形成する一対の前面を含む。
【００２４】
フランジ部分と突出部分１０４、１０６とに沿って配置される前方面１７４は、相補的なネックリングインサート１０３、１０３’間に嵌合接続面を提供するように構成される。
【００２５】
成形面９６は、特に限定はしないが、プリフォームネック部の外面の第１の半割体を形成するためのものであり、凹みに沿って配置される。当該凹みは、前方面１７４に、突出部分１０４の上面１６６と、突出部分１０６の底面１６８との間に形成される。相補的な成形面９６’は、プリフォームネック部の外面の第２の半割体を形成するためのものであり、同様に相補的なネックリングインサート１０３’上に配置される。
【００２６】
上側突出部分１０４上の上面１６６及びテーパ面１２０、並びに下側突出部分１０６上の底面１６８及びテーパ面１２１は、それぞれ、上側雄型嵌合テーパと下側雄型嵌合テーパとを提供するように構成される。上側雄型嵌合テーパと下側雄型嵌合テーパとは、それぞれ、キャビティインサート５４及び固定リングインサート５８上に設けられる（図１）相補的な雌型嵌合テーパと協働するように構成される。それにより、成形用インサート間の適切な位置合わせと密接な嵌め合いが達成される。もちろん、たとえば隣接したインサート間の雄型嵌合テーパ及び雌型嵌合テーパの差し込み、テーパロックの使用等の、嵌合テーパの代替的な構成が使用され得る。
【００２７】
ネックリングインサート１０３はまた、取り付け構造を含むことにより、ネックリングインサート対１５２を射出成形用金型のスライド対６８（図１）に取り付けることが可能となる。好ましくは、取り付け構造は、一対の位置合わせ穴１０８と、一対の押えねじカウンタ穴１０７とを含み、それらは、フランジ部分１０５に配置され、それぞれ、ダボねじ及び押えねじと協働する。もちろん、他の手段を用いて、たとえばフランジ部分１０５の後面１６０、第１の側面１６２、及び第２の側面１６４を相補的な面とスライド６８上で位置合わせする等、また、ネックリングフランジ１０５の上面１７０と協働するクランプを構成する等によりネックリングインサート対５２をスライド対６８上に取り付けて位置合わせしてもよい。
【００２８】
図２Ｄ及び図２Ｅを参照すると、ネックリングインサート１０３は、効果的な冷却液チャネルと、当該ネックリングインサートの本体内に形成される第１の接続冷却液チャネル及び第２の接続冷却液チャネルとを含む、冷却チャネル構成を有する。以下に詳細に説明するように、効果的な冷却液チャネルは、第１の効果的なチャネルセグメント１１４と、第２の効果的なチャネルセグメント１１５とを含むことが好ましい。第１の接続冷却液チャネルは、入口チャネルセグメント１１０と、第１の結合チャネルセグメント１１２とを含む。同様に、第２の接続冷却液チャネルは、出口チャネルセグメント１１１と、第２の結合チャネルセグメント１１３とを含む。上記のチャネルセグメント１１０、１１１、１１２、１１３、１１４、１１５は、特に限定はしないが、穿孔によって、ネックリングインサート１０３の本体内に形成されることが好ましい。もちろん、任意の数の冷却液チャネルセグメントが可能であると共に、それらは、他の手段（たとえば、放電加工）により形成され得る。
【００２９】
冷却液入口チャネルセグメント１１０と冷却液出口チャネルセグメント１１１とは、それぞれ、第１の結合チャネルセグメント１１２と第２の結合チャネルセグメント１１３とを相互接続するのに必要な深さまで、フランジ部分１０５の底面１７２に形成されることが好ましい。開口が入口チャネルセグメント１１０と出口チャネルセグメント１１１とにより底面１７２上に設けられることにより、冷却液チャネルをスライド対６８上の出入口冷却液チャネル７０（図１）に接続する接続部が提供される。
【００３０】
特に限定はしないが、結合チャネルセグメント１１２、１１３と効果的なチャネルセグメント１１４、１１５とは、ネックリングインサート１０３内で、フランジ部分１０５の上面１７０及び底面１７２間に、それらの面とほぼ平行に形成されることが好ましい。本実施形態では、結合チャネルセグメント１１２、１１３は、底面１７２のより近くに構成されることにより、押えねじカウンタ穴１０７の上部とのいかなる接触も避けることが好ましい。効果的なチャネルセグメント１１４、１１５はまた、図２Ｃに関して示されるように、底面１７２のより近くに構成されることにより、比較的厚い支持レッジ９８とピルファープルーフバンド９９を形成する成形面の一部とに近接して配置されることが好ましい。
【００３１】
結合チャネルセグメント１１２、１１３は、好ましくは、フランジ部分１０５の後面１６０からネックリングインサート１０３を横断するように形成される。結合チャネルセグメント１１２、１１３は、後面１６０の中間に近接して位置する第１の端を有すると共に、接続ポータル１１６において効果的なチャネルセグメント１１４、１１５と相互接続するのに必要な深さまで各側面１６２、１６４に向かって延在する。接続チャネルセグメント１１２、１１３と効果的な冷却液チャネルセグメント１１４、１１５との間にある接続ポータル１１６は、好ましくは、フランジ部分１０５の第１の側面１６２及び第２の側面１６４に隣接した、対応する効果的なチャネルセグメント１１４、１１５の第１の端に近接して位置付けられるのが好ましく、それにより、前方面１７４の近くにおいて冷却が高められる。
【００３２】
さらに、効果的なチャネルセグメント１１４、１１５は、好ましくは、それぞれ、フランジ部分１０５の第１の側面１６２と第２の側面１６４とからネックリングインサート１０３を横断するように形成される。効果的なチャネルセグメント１１４、１１５は、好ましくは、前方面１７４に隣接した第１の端を有すると共に、成形面部分９６に接線方向に、当該成形面部分９６の（図２Ｅの寸法Ｇに関して示されるように）近くに離間するように、フランジ部分１０５の中間部分の近くに位置付けられる第２の端１１７において交差するのに必要な深さまで延在する。したがって、効果的な冷却液チャネルは、成形面部分の外周の大部分の周囲を、当該外周にほぼ隣接して、延在するように構成されることが好ましい。
【００３３】
本実施形態では、特に限定はしないが、接続チャネルセグメント１１２、１１３は、側面１６２、１６４から約７０度の角度に形成されるべきである一方、効果的なチャネルセグメント１１４、１１５は、側面１６２、１６４から約６０度の角度に形成される。
【００３４】
冷却液チャネルを完成させるために、接続冷却液チャネル１１２、１１３と効果的な冷却液チャネル１１４、１１５との第１の端は、それぞれ、プラグ１３２、１３０と近接する。プラグ１３２、１３０は、図２Ａ、図２Ｅ及び図２Ｆに関して示すようなものである。好ましくは、プラグ１３０、１３２は、まず配置され、その後、接続冷却液チャネル１１２、１１３と効果的な冷却液チャネル１１４、１１５との第１の端内へロウ付けされる部材で、ほぼ円筒形の部材である。有利には、プラグは、ネックリングインサート１０３、１０３’の熱処理ステップ中に、成形用インサートを製造する一般的に知られる方法に従ってロウ付けされる。もちろん、代替的な手段、たとえば、パイププラグ（図３Ｂ）、溶接等を使用して開口をシールしてもよい。
【００３５】
図２Ｂに関して示したように、押えねじカウンタ穴１０７を位置決めすることは、接続ポータル１１６と効果的なチャネルセグメント１１４、１１５の第１の端との近接を制限することに大いに役立つ。これは、押えねじカウンタ穴１０７と結合チャネルセグメント１１２、１１３との明確な分離が必要とされているためである。栓をされる第１の端と接続ポータル１１６との間に配置される各効果的なチャネルセグメント１１４、１１５のデッドエンド部分に沿う冷却液流のよどみ、したがって当該デッドエンド部分からわずかな熱しか除去されないことを回避するために、仕切り１３６が、それらの間に配置される。特に、図２Ｅに関して示すように、仕切り１３６は、効果的なチャネルセグメント１１４、１１５のデッドエンド部分に沿う冷却液流の方向を変えるように構成されることが好ましく、それにより、それに隣接する成形面部分９６の一部に対する冷却がさらに改善される。上述したようなヒケに関する問題領域である前方面１７４に隣接している効果的なチャネルセグメント１１４、１１５のデッドエンド部分の位置に鑑みて、上記のことは特に意義深い。
【００３６】
仕切り１３６は、好ましくは、効果的なチャネルセグメント１１４、１１５を、プラグヘッド１３４に隣接するそれらの第１の端間でそれぞれ、第１の分岐路１１４Ａ及び第２の分岐路１１４Ｂ、並びに第３の分岐路１１５Ａ及び第４の分岐路１１５Ｂに、接続ポータル１１６をちょうど越えたところまで分割するように配置される。仕切り１３６は、そこに構成される移送冷却液チャネル１３８を含み、該移送冷却液チャネルは、好ましくは、プラグヘッド１３４に隣接して位置決めされることにより、第１の分岐路１１４Ａと第２の分岐路１１４Ｂ、且つ第３の分岐路１１５Ａと第４の分岐路１１５Ｂとを接続する。
【００３７】
さらに詳細には、仕切り１３６は、好ましくは、効果的なチャネルセグメント１１４、１１５内に配置されて、それらの流れ面は、接続ポータル１１６とほぼ平行になる。さらに、仕切り１３６は、各効果的なチャネルセグメント１１４、１１５に沿って延在するように配置されて、その長手方向軸へ傾けられる。仕切りの第１の端は、好ましくは、プラグヘッド１３４のほぼ中間に位置決めされ、仕切りの第２の端は、（同じ側の）接続ポータル１１６と、第１の効果的なチャネルセグメント１１４と第２の効果的なチャネルセグメント１１５とが交差する領域との間に位置決めされる。それにより、第１の分岐路１１４Ａと第４の分岐路１１５Ａが、接続ポータル１１６と移送冷却液チャネル１３８間に流体接続をもたらす。同様に、第２の分岐路１１４Ｂと第３の分岐路１１５Ｂとは、移送冷却液チャネル１３８間に流体接続をもたらす。
【００３８】
したがって、ネックリングインサート１０３を通る冷却液流路は、図２Ｅの流れ線に関して示すように、以下の流路を順番に含む、好ましい流路を通る：入口チャネルセグメント１１０、第１の結合チャネルセグメント１１２、接続ポータル１１６、第１の分岐路１１４Ａ、移送冷却液チャネル１３８、第２の分岐路１１４Ｂ、第３の分岐路１１５Ｂ、移送冷却液チャネル１３８、第４の分岐路１１５Ａ、接続ポータル１１６、第２の結合チャネルセグメント１１３、出口チャネルセグメント１１１。
【００３９】
図２Ｆに関して、プラグ１３０をさらに詳細に示す。プラグヘッド１３４と仕切り１３６とを好ましく接続することにより、効果的なチャネルセグメント１１４、１１５において仕切りの好適な配置が維持される。プラグヘッド１３４は、円筒体であることが好ましい。仕切り１３６は、最小限の厚みを有する細長いブレードとして構成されることが好ましい。先に説明したように、仕切り１３６は、プラグヘッド１３４の底面１４４のほぼ中間から延在するように配置されて、その長手方向軸へ傾けられることが好ましい。効果的なチャネルセグメント１１４、１１５を効果的に分割するには、仕切り１３６は、曲線を付けた外縁１４０を有し、当該外縁が、仕切り１３６を効果的なチャネルセグメント１１４、１１５の内面にほぼ適合させることが好ましい。移送冷却液チャネル１３８は、第１の端に近接したブレード１３６の中央部分を通る開口として構成される。効果的なチャネルセグメント１１４、１１５内で仕切り１３６を方向付けるのを補助するために、且つ、一度設置されたフランジ部分１０５の各側面１６２、１６２とほぼ同一面上にあるようにプラグヘッドの上面１４２を構成するために、プラグヘッド１３４の上面１４２は、相補的な角度でプラグヘッド１３４の長手方向軸へ傾いて構成されることが好ましく、相補的な角度は各側面１６２、１６４を貫通する効果的なチャネルセグメント１１４、１１５によって形成されるものである。好ましくは、仕切り１３６の外縁１４０の少なくとも一部分は、効果的なチャネルセグメント１１４、１１５の内面にはんだ付けで溶接される。
【００４０】
図３Ａを参照すると、本発明の第２の実施形態によるネックリングインサート対２３２が示されている。ネックリングインサート対２３２は、一対の相補的なネックリングインサート２０３、２０３’を備える。第２の実施形態は、第１の実施形態のわずかな変形形態にすぎないため、双方の相違だけを説明する。第２の実施形態のネックリングインサート２０３は、本発明の第１の実施形態の冷却液チャネル構成に対するさらなる単純化を含む。
【００４１】
図３Ｂを参照すると、入口チャネルセグメント２１０、出口チャネルセグメント２１１と、第１の効果的なチャネルセグメント２１４及び第２の効果的なチャネルセグメント２１５と、第１の結合チャネルセグメント２１２及び第２の結合チャネルセグメント２１３との構成は、上述したものとほぼ同じものであることが分かるであろう。しかしながら、効果的なチャネルセグメント内の仕切り２３６の配置は実に異なり、その結果、冷却液流路も異なる。特に、仕切り２３６は、効果的なチャネルセグメント２１４、２１５において同軸上に、且つその全長の大部分に沿って延在するように配置されることが好ましい。それにより、一対の平行な冷却液流路がその中に構成される。第１の冷却液流路は、第１の実施形態の説明に関して説明されたものと同一のものである。第２の冷却液流路は、第１の結合チャネルセグメント２１２と第２の結合チャネルセグメント２１３との間にあり、図２Ｅの流れ線を参照して示すようなものである。
【００４２】
図３Ｂにも、結合チャネルセグメント２１２、２１３と効果的なチャネルセグメント２１４、２１５との第１の端に隣接してネックリング本体内に構成されたいくつかのねじシート２３０が示されている。ねじシート２３０は、チャネルセグメント２１２、２１３、２１４、２１５の端に栓をするための通常のパイププラグ（図示せず）を受けるように構成される。
【００４３】
図３Ｃを参照すると、仕切り２３６は、好ましくは、単純化されたほぼ矩形の本体構成を有する。前述のように、仕切り２３６は、移送冷却液チャネル２３８を含み、当該チャネルは、その第１の端に隣接して位置付けられる、仕切りを貫通する開口として構成される。仕切りはまた、一対の位置付け部材２４０Ａ、２４０Ｂも有し、当該部材は、効果的なチャネルセグメント２１４、２１５内に構成される相補的な位置付け部材（図示せず）と協働するように構成されることにより、効果的なチャネルセグメント１１４、１１５内で仕切り１３６を方向付ける。位置付け部材２４０Ａ、２４０Ｂは、仕切り本体の側面部分に沿って、その第１の端に隣接して、横方向に延在するタブとして構成される。仕切り本体の第１の端は、パイププラグ（図示せず）の内面と協働するように構成されることにより、効果的なチャネルセグメント１１４、１１５内で仕切り２３６を保持する。仕切り２３６の第２の端は、好ましくは、隣接する仕切り２３６の第２の端と協働するように構成されることにより、隣接する分岐路２１４Ｂと分岐路２１５Ｂとを接続する。本仕切りの別の代替的な実施形態（図示せず）では、単一の仕切りが、第１の効果的なチャネルセグメント２１４と第２の効果的なチャネルセグメント２１５との両方に沿って延在するように構成される。同様に、移送冷却液チャネルは、単に、仕切りの一端とチャネルセグメントの一端との間に構成してもよい。
【００４４】
このように、これまで説明してきたことは、金型分割インサート対の種々の実施形態、より詳細には、プリフォーム射出成形用金型用のネックリング対として構成されるものであり、それは、成形面のほぼ均一な冷却をもたらすと共に、既知の構成及びその製造方法と比較して、単純であり且つ実現するのに費用があまりかからない冷却構造を含む。
【００４５】
上述の全ての米国及びその他の国の特許文献と記事とは、本明細書の発明を実施するための最良の形態のセクションに参照により援用されている。
【００４６】
添付の図面において概説されたか、又はブロックで示された全ての個々の構成部品は、当該射出成形の技術分野でよく知られているものであり、それらの特定の構造及び動作は、本発明を実施するための操作又は最良の形態にとって不可欠なものではない。
【００４７】
本発明を、現時点で好ましい実施形態だと思われるものに関して説明してきたが、本発明は開示された実施形態に限定されないことを理解されたい。添付の特許請求の範囲は、すべてのそのような変更形態並びに均等な構造及び機能を網羅するように、最も広義に解釈されるべきである。
【図面の簡単な説明】
【００４８】
【図１】通常のプリフォーム金型成形用スタックアセンブリの断面図である。
【図２Ａ】本発明の第１の実施形態によるネックリングインサート対の等角図である。
【図２Ｂ】図２Ａのネックリングインサート対の平面図である。
【図２Ｃ】図２Ｂに関して示すような断面線Ｃ−Ｃに沿った図２Ａのネックリングインサート対の断面図である。
【図２Ｄ】図２Ａのネックリングインサート対の側面図である。
【図２Ｅ】図２Ｄに関して示すような断面線Ｅ−Ｅに沿った図２Ａのネックリングインサート対の断面図である。
【図２Ｆ】図２Ｅに関して最も良く示されるような図２Ａのネックリングインサート対において使用される、一体形成型仕切りを備える、プラグの等角図である。
【図３Ａ】本発明の第２の実施形態によるネックリングインサート対の側面図である。
【図３Ｂ】図３Ａに関して示すような断面線Ａ−Ａに沿った図３Ａのネックリングインサート対の断面図である。
【図３Ｃ】図３Ｂに関して最も良く示されるような図３Ａのネックリングインサート対において使用される仕切りの等角図である。
【図１】
2008542066.tif 000003
【図２Ａ】
2008542066.tif 000004
【図２Ｂ】
2008542066.tif 000005
【図２Ｃ】
2008542066.tif 000006
【図２Ｄ】
2008542066.tif 000007
【図２Ｅ】
2008542066.tif 000008
【図２Ｆ】
2008542066.tif 000009
【図３Ａ】
2008542066.tif 000010
【図３Ｂ】
2008542066.tif 000011
【図３Ｃ】
2008542066.tif 000012
【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
成形品を製造するための成形用インサートスタックアセンブリ（５０）において、相補的な対（１５２，２５２）で協働するように構成される金型分割インサート（１０３，２０３）であって、
本体と、
該本体上に構成される成形面（９６）と、
該本体内に構成される効果的な冷却液チャネル（１１４，１１５，２１４，２１５）であって、該冷却液チャネルの一部分を第１の分岐路及び第２の分岐路（１１４Ａ，１１４Ｂ，１１５Ａ，１１５Ｂ，２１４Ａ，２１４Ｂ，２１５Ａ、２１５Ｂ）に分割するために該冷却液チャネル内に配置されると共に、該分岐路（１１４Ａ，１１４Ｂ，１１５Ａ，１１５Ｂ，２１４Ａ，２１４Ｂ，２１５Ａ、２１５Ｂ）の間に移送冷却液チャネル（１３８，２３８）を画定するように構成される、仕切り（１３６，２３６）を収容するように構成される、効果的な冷却液チャネルと
を備える、金型分割インサート。
【請求項２】
前記冷却液チャネルは、
前記効果的な冷却液チャネル（１１４，１１５，２１４，２１５）であって、第１の端及び第２の端と、該端の中間にある第１の接続ポータル（１１６）及び第２の接続ポータル（１１６）とを有する、効果的な冷却液チャネル（１１４，１１５，２１４，２１５）と、
第１の接続冷却液チャネル（１１２，２１２）であって、前記本体内に、該本体の外面上の入口ポータルと前記第１の接続ポータル（１１６）との間に構成される、第１の接続冷却液チャネル（１１２，２１２）と、
第２の接続冷却液チャネル（１１３，２１３）であって、前記本体内に、前記第２の接続ポータル（１１６）と前記本体の前記外面上の出口ポータルとの間に構成される、第２の接続冷却液チャネル（１１３，２１３）と
を備える、請求項１に記載の金型分割インサート（１０３，２０３）。
【請求項３】
前記分岐路（１１４Ａ，１１４Ｂ，１１５Ａ，１１５Ｂ，２１４Ａ，２１４Ｂ，２１５Ａ、２１５Ｂ）は、前記効果的な冷却液チャネルの前記端の間の冷却液流を支持するように構成される、請求項２に記載の金型分割インサート（１０３，２０３）。
【請求項４】
前記効果的な冷却液チャネル（１１４，１１５，２１４，２１５）は、前記成形面（９６）の一部分の外周の大部分の周りに、且つ該一部分の外周にほぼ隣接して延在するように構成される、請求項３に記載の金型分割インサート（１０３，２０３）。
【請求項５】
前記分割インサートを使用して製造される前記成形品は、プリフォームであり、前記成形面（９６）は、プリフォームネック部に沿った外面を成形するように構成される、請求項４に記載の金型分割インサート（１０３，２０３）。
【請求項６】
前記成形面（９６）の前記一部分は、前記プリフォームネック部の肉厚特徴部に対応する、請求項５に記載の金型分割インサート（１０３，２０３）。
【請求項７】
前記効果的な冷却液チャネル（１１４，１１５，２１４，２１５）は、該効果的な冷却液チャネルの前記第１の端及び前記第２の端に隣接したプラグ（１３０，２３０）を含むように構成される、請求項３に記載の金型分割インサート（１０３，２０３）。
【請求項８】
前記移送冷却液チャネル（１３８，２３８）は、前記仕切り（１３６，２３６）の一方の端と前記プラグ（１３０，２３０）の内面（１４４）との間に構成される、請求項７に記載の金型分割インサート（１０３，２０３）。
【請求項９】
前記移送冷却液チャネル（１３８，２３８）は、前記仕切り（１３６，２３６）に構成される、請求項７に記載の金型分割インサート（１０３，２０３）。
【請求項１０】
前記プラグ（１３０，２３０）は、前記仕切り（１３６，２３６）が内面（１４４）から延在するように構成されているプラグヘッド（１３４）を含む、請求項９に記載の金型分割インサート（１０３，２０３）。
【請求項１１】
前記仕切り（１３６，２３６）は、前記プラグヘッド（１３４）の長手方向軸に対して傾いていると共に、前記効果的な冷却液チャネル（１１４，１１５，２１４，２１５）の隣接した内面の輪郭に沿って曲線を付けた外縁を有する、請求項１０に記載の金型分割インサート（１０３，２０３）。
【請求項１２】
前記仕切り（１３６，２３６）は、前記本体内に構成される相補的な位置決め部材と協働するように構成される位置決め部材（２４０Ａ，２４０Ｂ）を含む、請求項９に記載の金型分割インサート（１０３，２０３）。
【請求項１３】
前記効果的な冷却液チャネル（１１４，１１５，２１４，２１５）は、複数のチャネルセグメントを含む、請求項３に記載の金型分割インサート（１０３，２０３）。
【請求項１４】
前記効果的なチャネルセグメントのうちの１つは、直線方向に延在する、請求項１３に記載の金型分割インサート（１０３，２０３）。
【請求項１５】
前記直線チャネルセグメントは、前記成形面（９６）に対して接線方向である、請求項１４に記載の金型分割インサート（１０３，２０３）。
【請求項１６】
前記効果的なチャネルセグメントのうちの１つは、湾曲して延在する、請求項１３に記載の金型分割インサート（１０３，２０３）。
【請求項１７】
前記湾曲チャネルセグメントは、前記成形面（９６）と同心である、請求項１６に記載の金型分割インサート（１０３，２０３）。
【請求項１８】
前記本体はほぼ矩形のフランジ部分（１０５，２０５）を含み、該フランジ部分は、上面（１７０，２７０）、底面（１７２，２７２）、後面（１６０，２６０）、前方面（１７４，２７４）、第１の側面（１６２，２６２）及び第２の側面（１６４，２６４）を有する、請求項１３に記載の金型分割インサート（１０３，２０３）。
【請求項１９】
前記前方面（１７４，２７４）の少なくとも一部分は、前記相補的な分割インサートの嵌合接続面として構成される、請求項１８に記載の金型分割インサート（１０３，２０３）。
【請求項２０】
前記成形面（９６）は前記前方面（１７４，２７４）に形成される半円筒形の凹みの表面に沿って配置される、請求項１９に記載の金型分割インサート（１０３，２０３）。
【請求項２１】
前記複数の効果的なチャネルセグメントは、前記本体の前記上面と前記底面（１７０，１７２、２７０，２７２）との間に構成されると共に該上面及び該底面とほぼ平行である、請求項２０に記載の金型分割インサート（１０３，２０３）。
【請求項２２】
前記複数の効果的なチャネルセグメントは、前記本体内で交差する第２の端の間に延在するように配置される第１のチャネルセグメントと第２のチャネルセグメントとを含む、請求項２０に記載の金型分割インサート（１０３，２０３）。
【請求項２３】
前記本体は、前記上面及び前記底面（１７０，１７２，２７０、２７２）のうちの一方から延出する突出部分（１０４，１０６，２０４，２０６）をさらに含む、請求項２２に記載の金型分割インサート（１０３，２０３）。
【請求項２４】
前記本体の前記突出部分（１０４，１０６，２０４，２０６）の外面は、前記成形用インサートスタックアセンブリ（５０）内の前記分割インサートを位置合わせするように構成される、請求項２３に記載の金型分割インサート（１０３，２０３）。
【請求項２５】
前記成形面（９６）の一部分は、前記突出部分（１０４，１０６，２０４，２０６）の内面に沿って配置される、請求項２４に記載の金型分割インサート（１０３，２０３）。
【請求項２６】
前記本体は、前記成形用インサートスタックアセンブリ内の前記分割インサートを位置合わせするように構成される凹み部分をさらに含む、請求項２４に記載の金型分割インサート（１０３，２０３）。
【請求項２７】
成形用インサートスタックアセンブリ（５０）であって、
成形キャビティを間に構成する際に協働するように構成される、複数の成形用インサートを備え、該複数の成形用インサートは、相補的な対の分割インサートを含み、該分割インサートのそれぞれは、
本体と、
前記本体上に構成される成形面（９６）と、
前記本体内に構成される効果的な冷却液チャネル（１１４，１１５，２１４，２１５）であって、該冷却液チャネル（１３８，２３８）の一部分を第１の分岐路及び第２の分岐路に分割するために該冷却液チャネル内に配置されると共に、該分岐路の間に移送冷却液チャネルを画定するように構成される、仕切り（１３６，２３６）を受けるように構成される、冷却液チャネルと
を備える、成形用インサートスタックアセンブリ。
【請求項２８】
前記冷却液チャネルは、
前記効果的な冷却液チャネル（１１４，１１５，２１４，２１５）であって、第１の端及び第２の端と、該端の中間にある第１の接続ポータル及び第２の接続ポータルとを有する、効果的な冷却液チャネル（１１４，１１５，２１４，２１５）と、
第１の接続冷却液チャネルであって、前記本体内に、該本体の外面上の入口ポータルと前記第１の接続ポータルとの間に構成される、第１の接続冷却液チャネルと、
第２の接続冷却液チャネルであって、前記本体内に、前記第２の接続ポータルと前記本体の前記外面上の出口ポータルとの間に構成される、第２の接続冷却液チャネルと
を備える、請求項２７に記載の成形用インサートスタックアセンブリ（５０）。
【請求項２９】
前記分岐路は、前記効果的な冷却液チャネル（１１４，１１５，２１４，２１５）の前記端の間の冷却液流を支持するように構成される、請求項２８に記載の成形用インサートスタックアセンブリ（５０）。
【請求項３０】
前記効果的な冷却液チャネル（１１４，１１５，２１４，２１５）は、前記成形面（９６）の一部分の外周の大部分の周りに、且つ該一部分の外周にほぼ隣接して延在するように構成される、請求項２９に記載の成形用インサートスタックアセンブリ（５０）。
【請求項３１】
前記分割インサートを使用して製造される前記成形品は、プリフォームであり、前記成形面（９６）は、プリフォームネック部に沿って外面を成形するように構成される、請求項３０に記載の成形用インサートスタックアセンブリ（５０）。
【請求項３２】
前記成形面（９６）の前記一部分は、前記プリフォームネック部の肉厚特徴部に対応する、請求項３１に記載の成形用インサートスタックアセンブリ（５０）。
【請求項３３】
前記効果的な冷却液チャネルは、該効果的な冷却液チャネル（１１４，１１５，２１４，２１５）の前記第１の端及び前記第２の端に隣接したプラグ（１３０，２３０）を含むように構成される、請求項２９に記載の成形用インサートスタックアセンブリ（５０）。
【請求項３４】
前記移送冷却液チャネル（１３８，２３８）は、前記仕切り（１３６，２３６）の一方の端と前記プラグ（１３０，２３０）の内面（１４４）との間に構成される、請求項３３に記載の成形用インサートスタックアセンブリ（５０）。
【請求項３５】
前記移送冷却液チャネル（１３８，２３８）は、前記仕切り（１３６，２３６）に構成される、請求項３３に記載の成形用インサートスタックアセンブリ（５０）。
【請求項３６】
前記プラグ（１３０，２３０）は、前記仕切り（１３６，２３６）が内面（１４４）から延在するように構成されているプラグヘッド（１３４）を含む、請求項３５に記載の成形用インサートスタックアセンブリ（５０）。
【請求項３７】
前記仕切り（１３６，２３６）は、前記プラグヘッド（１３４）の長手方向軸に対して傾いていると共に、前記効果的な冷却液チャネル（１１４，１１５，２１４，２１５）の隣接した内面の輪郭に沿って曲線を付けた外縁（１４０）を有する、請求項３６に記載の成形用インサートスタックアセンブリ（５０）。
【請求項３８】
前記仕切り（１３６，２３６）は、前記本体内に構成される相補的な位置決め部材と協働するように構成される位置決め部材（２４０Ａ，２４０Ｂ）を含む、請求項３５に記載の成形用インサートスタックアセンブリ（５０）。
【請求項３９】
前記効果的な冷却液チャネル（１１４，１１５，２１４，２１５）は、複数のチャネルセグメントを含む、請求項２９に記載の成形用インサートスタックアセンブリ（５０）。
【請求項４０】
前記効果的なチャネルセグメントのうちの１つは、直線方向に延在する、請求項３９に記載の成形用インサートスタックアセンブリ（５０）。
【請求項４１】
前記直線チャネルセグメントは、前記成形面（９６）に対して接線方向である、請求項４０に記載の成形用インサートスタックアセンブリ（５０）。
【請求項４２】
前記効果的なチャネルセグメントのうちの１つは、湾曲して延在する、請求項３９に記載の成形用インサートスタックアセンブリ（５０）。
【請求項４３】
前記湾曲チャネルセグメントは、前記成形面（９６）と同軸上にある、請求項４２に記載の成形用インサートスタックアセンブリ（５０）。
【請求項４４】
前記本体はほぼ矩形のフランジ部分（１０５，２０５）を含み、該フランジ部分は、上面（１７０，２７０）、底面（１７２，２７２）、後面（１６０，２６０）、前方面（１７４，２７４）、第１の側面（１６２，２６２）及び第２の側面（１６４，２６４）を有する、請求項３９に記載の成形用インサートスタックアセンブリ（５０）。
【請求項４５】
前記前方面（１７４，２７４）の少なくとも一部分は、前記相補的な分割インサートの嵌合接続面として構成される、請求項４４に記載の成形用インサートスタックアセンブリ（５０）。
【請求項４６】
前記成形面（９６）は前記前方面（１７４，２７４）に形成される半円筒形の凹みの表面に沿って配置される、請求項４５に記載の成形用インサートスタックアセンブリ（５０）。
【請求項４７】
前記複数の効果的なチャネルセグメントは、前記本体の前記上面と前記底面との間に構成されると共に該上面及び該底面とほぼ平行である、請求項４６に記載の成形用インサートスタックアセンブリ（５０）。
【請求項４８】
前記複数の効果的なチャネルセグメントは、前記本体内で交差する第２の端の間に延在するように配置される第１のチャネルセグメントと第２のチャネルセグメントとを含む、請求項４６に記載の成形用インサートスタックアセンブリ（５０）。
【請求項４９】
前記本体は、前記上面及び前記底面のうちの一方から延出する突出部分（１０４，１０６，２０４，２０６）をさらに含む、請求項４８に記載の成形用インサートスタックアセンブリ（５０）。
【請求項５０】
前記本体の前記突出部分（１０４，１０６，２０４，２０６）の外面は、前記成形用インサートスタックアセンブリ内の前記分割インサートを位置合わせするように構成される、請求項４９に記載の成形用インサートスタックアセンブリ（５０）。
【請求項５１】
前記成形面（９６）の一部分は、前記突出部分（１０４，１０６，２０４，２０６）の内面に沿って配置される、請求項５０に記載の成形用インサートスタックアセンブリ（５０）。
【請求項５２】
前記本体は、前記成形用インサートスタックアセンブリ内の前記分割インサートを位置合わせするように構成される凹み部分をさらに含む、請求項５０に記載の成形用インサートスタックアセンブリ（５０）。
【請求項５３】
射出成形用金型であって、
金型シューと、
前記金型シュー内に配置される、少なくとも１つの成形用スタックアセンブリ（５０）と
を備え、該成形用スタックアセンブリ（５０）は、
成形キャビティを間に構成する際に協働するように構成される、複数の成形用インサートを備え、該複数の成形用インサートは、相補的な対の分割インサートを含み、該分割インサートのそれぞれは、
本体と、
前記本体上に構成される成形面（９６）と、
前記本体内に構成される効果的な冷却液チャネル（１１４，１１５，２１４，２１５）であって、該冷却液チャネルの一部分を第１の分岐路及び第２の分岐路に分割するために該冷却液チャネル内に配置されると共に、該分岐路の間に移送冷却液チャネル（１３８，２３８）を画定するように構成される、仕切り（１３６，２３６）を受けるように構成される、冷却液チャネルと
を備える、射出成形用金型。
【請求項５４】
前記冷却液チャネルは、
前記効果的な冷却液チャネル（１１４，１１５，２１４，２１５）であって、第１の端及び第２の端と、該端の中間にある第１の接続ポータル及び第２の接続ポータルとを有する、効果的な冷却液チャネルと、
第１の接続冷却液チャネルであって、前記本体内に、該本体の外面上の入口ポータルと前記第１の接続ポータルとの間に構成される、第１の接続冷却液チャネルと、
第２の接続冷却液チャネルであって、前記本体内に、前記第２の接続ポータルと前記本体の前記外面上の出口ポータルとの間に構成される、第２の接続冷却液チャネルと
を備える、請求項５３に記載の射出成形用金型。
【請求項５５】
前記分岐路は、前記効果的な冷却液チャネル（１１４，１１５，２１４，２１５）の前記端の間の冷却液流を支持するように構成される、請求項５４に記載の射出成形用金型。
【請求項５６】
前記効果的な冷却液チャネル（１１４，１１５，２１４，２１５）は、前記成形面（９６）の一部分の外周の大部分の周りに、且つ該一部分の外周にほぼ隣接して延在するように構成される、請求項５５に記載の射出成形用金型。
【請求項５７】
前記分割インサートを使用して製造される前記成形品は、プリフォームであり、前記成形面（９６）は、プリフォームネック部に沿って外面を成形するように構成される、請求項５６に記載の射出成形用金型。
【請求項５８】
前記成形面（９６）の前記一部分は、前記プリフォームネック部の肉厚特徴部に対応する、請求項５７に記載の射出成形用金型。
【請求項５９】
前記効果的な冷却液チャネル（１１４，１１５，２１４，２１５）は、該効果的な冷却液チャネルの前記第１の端及び前記第２の端に隣接したプラグ（１３０，２３０）を含むように構成される、請求項５５に記載の射出成形用金型。
【請求項６０】
前記移送冷却液チャネル（１３８，２３８）は、前記仕切り（１３６，２３６）の一方の端と前記プラグ（１３０，２３０）の内面（１４４）との間に構成される、請求項５９に記載の射出成形用金型。
【請求項６１】
前記移送冷却液チャネル（１３８，２３８）は、前記仕切り（１３６，２３６）に構成される、請求項５９に記載の射出成形用金型。
【請求項６２】
前記プラグ（１３０，２３０）は、前記仕切り（１３６，２３６）が内面（１４４）から延在するように構成されているプラグヘッド（１３４）を含む、請求項６１に記載の射出成形用金型。
【請求項６３】
前記仕切り（１３６，２３６）は、前記プラグヘッド（１３４）の長手方向軸に対して傾いていると共に、前記効果的な冷却液チャネル（１１４，１１５，２１４，２１５）の隣接した内面の輪郭（１４０）に沿って曲線を付けた外縁を有する、請求項６２に記載の射出成形用金型。
【請求項６４】
前記仕切り（１３６，２３６）は、前記本体内に構成される相補的な位置決め部材と協働するように構成される位置決め部材（２４０Ａ，２４０Ｂ）を含む、請求項６１に記載の射出成形用金型。
【請求項６５】
前記効果的な冷却液チャネル（１１４，１１５，２１４，２１５）は、複数のチャネルセグメントを含む、請求項５５に記載の射出成形用金型。
【請求項６６】
前記効果的なチャネルセグメントのうちの１つは、直線方向に延在する、請求項６５に記載の射出成形用金型。
【請求項６７】
前記直線チャネルセグメントは、前記成形面（９６）に対して接線方向である、請求項６６に記載の射出成形用金型。
【請求項６８】
前記効果的なチャネルセグメントのうちの１つは、湾曲して延在する、請求項６５に記載の射出成形用金型。
【請求項６９】
前記湾曲チャネルセグメントは、前記成形面（９６）と同心である、請求項６８に記載の射出成形用金型。
【請求項７０】
前記本体はほぼ矩形のフランジ部分（１０５，２０５）を含み、該フランジ部分（１０５，２０５）は、上面（１７０，２７０）、底面（１７２，２７２）、後面（１６０，２６０）、前方面（１７４，２７４）、第１の側面（１６２，２６２）及び第２の側面（１６４，２６４）を有する、請求項６５に記載の射出成形用金型。
【請求項７１】
前記前方面（１７４，２７４）の少なくとも一部分は、前記相補的な分割インサートの嵌合接続面として構成される、請求項７０に記載の射出成形用金型。
【請求項７２】
前記成形面（９６）は前記前方面（１７４，２７４）に形成される半円筒形の凹みの表面に沿って配置される、請求項７１に記載の射出成形用金型。
【請求項７３】
前記複数の効果的なチャネルセグメントは、前記本体の前記上面と前記底面との間に構成されると共に該上面及び該底面とほぼ平行である、請求項７２に記載の射出成形用金型。
【請求項７４】
前記複数の効果的なチャネルセグメントは、前記本体内で交差する第２の端の間に延在するように配置される第１のチャネルセグメントと第２のチャネルセグメントとを含む、請求項７２に記載の射出成形用金型。
【請求項７５】
前記本体は、前記上面及び前記底面のうちの一方から延出する突出部分（１０４，１０６，２０４，２０６）をさらに含む、請求項７４に記載の射出成形用金型。
【請求項７６】
前記本体の前記突出部分（１０４，１０６，２０４，２０６）の外面は、前記成形用インサートスタックアセンブリ（５０）内の前記分割インサートを位置合わせするように構成される、請求項７５に記載の射出成形用金型。
【請求項７７】
前記成形面（９６）の一部分は、前記突出部分（１０４，１０６，２０４，２０６）の内面に沿って配置される、請求項７６に記載の射出成形用金型。
【請求項７８】
前記本体は、前記成形用インサートスタックアセンブリ（５０）内の前記分割インサートを位置合わせするように構成される凹み部分をさらに含む、請求項７６に記載の射出成形用金型。
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
成形品を製造するための成形用インサートスタックアセンブリ（５０）において、相補的な対（１５２，２５２）で協働するように構成される金型分割インサート（１０３，２０３）であって、
本体と、
該本体上に構成される成形面（９６）と、
該本体内に構成される効果的な冷却液チャネルであって、該効果的な冷却液チャネルは第１の効果的なチャネルセグメント（１１４，２１４）を含み、
該効果的な冷却液チャネル内に仕切り（１３６，２３６）を含み、
該仕切りは、該第１の効果的なチャネルセグメント（１１４，２１４）を第１の分岐路（１１４Ａ，２１４Ａ）及び第２の分岐路（１１４Ｂ，２１４Ｂ）に分割し、
該仕切りは（１３６，２３６）、該第１の分岐路（１１４Ａ，２１４Ａ）と該第２の分岐路（１１４Ｂ，２１４Ｂ）の間に移送冷却液チャネル（１３８，２３８）を画定するように構成される、
金型分割インサート（１０３，２０３）。
【請求項２】
前記金型分割インサート（１０３，２０３）は、第１の接続冷却液チャネルを更に含み、
該第１の接続冷却液チャネルは、入口チャネルセグメント（１１０）と第１の接続チャネルセグメント（１１２）とを含み、
該第１の接続チャネルセグメント（１１２）は、該入口チャネルセグメント（１１０）と前記第１の分岐路（１１４Ａ，２１４Ａ）とを第１の接続ポータル（１１６）において接続する、
請求項１に記載の金型分割インサート（１０３，２０３）。
【請求項３】
前記第１の分岐路（１１４Ａ，２１４Ａ，）及び前記第２の分岐路（１１４Ｂ，２１４Ｂ）は、前記効果的な冷却液チャネルの端の間の冷却液流を支持するように構成される、請求項２に記載の金型分割インサート（１０３，２０３）。
【請求項４】
前記効果的な冷却液チャネルは、前記成形面（９６）の一部分の外周の大部分の周りに、且つ該一部分の外周にほぼ隣接して延在するように構成される、請求項３に記載の金型分割インサート（１０３，２０３）。
【請求項５】
前記金型分割インサートを使用して製造される前記成形品は、プリフォームであり、前記成形面（９６）は、プリフォームネック部に沿った外面を成形するように構成される、請求項４に記載の金型分割インサート（１０３，２０３）。
【請求項６】
前記成形面（９６）の前記一部分は、前記プリフォームネック部の肉厚特徴部に対応する、請求項５に記載の金型分割インサート（１０３，２０３）。
【請求項７】
前記効果的な冷却液チャネルは、該効果的な冷却液チャネルの第１の端及び第２の端に隣接したプラグ（１３０，２３０）を含むように構成される、請求項３に記載の金型分割インサート（１０３，２０３）。
【請求項８】
前記移送冷却液チャネル（１３８，２３８）は、前記仕切り（１３６，２３６）の一方の端と前記プラグ（１３０，２３０）の内面（１４４）との間に構成される、請求項７に記載の金型分割インサート（１０３，２０３）。
【請求項９】
前記移送冷却液チャネル（１３８，２３８）は、前記仕切り（１３６，２３６）に構成される、請求項７に記載の金型分割インサート（１０３，２０３）。
【請求項１０】
前記プラグ（１３０，２３０）は、前記仕切り（１３６，２３６）が内面（１４４）から延在するように構成されているプラグヘッド（１３４）を含む、請求項９に記載の金型分割インサート（１０３，２０３）。
【請求項１１】
前記仕切り（１３６，２３６）は、前記プラグヘッド（１３４）の長手方向軸に対して傾いていると共に、前記効果的な冷却液チャネルの隣接した内面の輪郭に沿って曲線を付けた外縁を有する、請求項１０に記載の金型分割インサート（１０３，２０３）。
【請求項１２】
前記仕切り（１３６，２３６）は、前記本体内に構成される相補的な位置決め部材と協働するように構成される位置決め部材（２４０Ａ，２４０Ｂ）を含む、請求項９に記載の金型分割インサート（１０３，２０３）。
【請求項１３】
前記金型分割インサート（１０３，２０３）は、前記効果的な冷却液チャネル内に含まれる第２の効果的なチャネルセグメント（１１５，２１５）と、更なる仕切り（１３６，２３６）と、第２の接続冷却液チャネルとを含み、
該更なる仕切りは、該第２の効果的なチャネルセグメント（１１５，２１５）を第３の分岐路（１１５Ｂ，２１５Ｂ）及び第４の分岐路（１１５Ａ，２１５Ａ）に分割し、
該更なる仕切りは、該第３の分岐路（１１５Ｂ，２１５Ｂ）と該第４の分岐路（１１５Ａ，２１５Ａ）の間に更なる移送冷却液チャネル（１３８，２３８）を画定するように構成され、
該第２の接続冷却液チャネルは、出口チャネルセグメント（１１１）と第２の接続チャネルセグメント（１１３）とを含み、
該第２の接続チャネルセグメント（１１３）は、該出口チャネルセグメント（１１１）と前記第４の分岐路（１１５Ａ，２１５Ａ）とを第２の接続ポータルにおいて接続する、
請求項３に記載の金型分割インサート（１０３，２０３）。
【請求項１４】
前記第１の効果的なチャネルセグメント（１１４，２１４）と前記第２の効果的なチャネルセグメント（１１５，２１５）のうちの１つは、直線方向に延在する、請求項１３に記載の金型分割インサート（１０３，２０３）。
【請求項１５】
前記直線チャネルセグメントは、前記成形面（９６）に対して接線方向である、請求項１４に記載の金型分割インサート（１０３，２０３）。
【請求項１６】
前記第１の効果的なチャネルセグメント（１１４，２１４）と前記第２の効果的なチャネルセグメント（１１５，２１５）のうちの１つは、湾曲して延在する、請求項１３に記載の金型分割インサート（１０３，２０３）。
【請求項１７】
前記湾曲チャネルセグメントは、前記成形面（９６）と同心である、請求項１６に記載の金型分割インサート（１０３，２０３）。
【請求項１８】
前記本体はほぼ矩形のフランジ部分（１０５，２０５）を含み、該フランジ部分は、上面（１７０，２７０）、底面（１７２，２７２）、後面（１６０，２６０）、前方面（１７４，２７４）、第１の側面（１６２，２６２）及び第２の側面（１６４，２６４）を有する、請求項１３に記載の金型分割インサート（１０３，２０３）。
【請求項１９】
前記前方面（１７４，２７４）の少なくとも一部分は、相補的な金型分割インサートの嵌合接続面として構成される、請求項１８に記載の金型分割インサート（１０３，２０３）。
【請求項２０】
前記成形面（９６）は前記前方面（１７４，２７４）に形成される半円筒形の凹みの表面に沿って配置される、請求項１９に記載の金型分割インサート（１０３，２０３）。
【請求項２１】
前記第１の効果的なチャネルセグメント（１１４，２１４）と前記第２の効果的なチャネルセグメント（１１５，２１５）は、前記本体の前記上面（１７０，２７０）と前記底面（１７２、２７２）との間に構成されると共に該上面及び該底面とほぼ平行である、請求項２０に記載の金型分割インサート（１０３，２０３）。
【請求項２２】
前記第１の効果的なチャネルセグメント（１１４，２１４）と前記第２の効果的なチャネルセグメント（１１５，２１５）は、前記本体内で交差するように配置される、請求項２０に記載の金型分割インサート（１０３，２０３）。
【請求項２３】
前記本体は、前記上面（１７０，２７０）及び前記底面（１７２，２７２）のうちの一方から延出する突出部分（１０４，１０６，２０４，２０６）をさらに含む、請求項２２に記載の金型分割インサート（１０３，２０３）。
【請求項２４】
前記突出部分（１０４，１０６，２０４，２０６）の外面は、前記成形用インサートスタックアセンブリ（５０）内の前記金型分割インサートを位置合わせするように構成される、請求項２３に記載の金型分割インサート（１０３，２０３）。
【請求項２５】
前記成形面（９６）の一部分は、前記突出部分（１０４，１０６，２０４，２０６）の内面に沿って配置される、請求項２４に記載の金型分割インサート（１０３，２０３）。
【請求項２６】
前記本体は、前記成形用インサートスタックアセンブリ内の前記金型分割インサートを位置合わせするように構成される凹み部分をさらに含む、請求項２４に記載の金型分割インサート（１０３，２０３）。
【請求項２７】
成形用インサートスタックアセンブリ（５０）であって、
成形キャビティを間に構成する際に協働するように構成される、複数の成形用インサートを備え、該複数の成形用インサートは、相補的な対の金型分割インサート（１０３，２０３）を含み、該金型分割インサート（１０３，２０３）のそれぞれは、
本体と、
前記本体上に構成される成形面（９６）と、
前記本体内に構成される効果的な冷却液チャネルと、
該効果的な冷却液チャネル内に配置される仕切り（１３６，２３６）と
を有し、
該効果的な冷却液チャネルは第１の効果的なチャネルセグメント（１１４，２１４）を含み、
該仕切り（１３６，２３６）は、該第１の効果的なチャネルセグメント（１１４，２１４）を第１の分岐路（１１４Ａ，２１４Ａ）及び第２の分岐路（１１４Ｂ，２１４Ｂ）に分割し、
該仕切り（１３６，２３６）は、該第１の分岐路（１１４Ａ，２１４Ａ）と該第２の分岐路（１１４Ｂ，２１４Ｂ）を接続するように移送冷却液チャネル（１３８，２３８）を画定するように構成される、
成形用インサートスタックアセンブリ。
【請求項２８】
前記分割インサート（１０３，２０３）のそれぞれは、第１の接続冷却液チャネルを更に含み、
該第１の接続冷却液チャネルは、入口チャネルセグメント（１１０）と第１の接続チャネルセグメント（１１２）とを含み、
該第１の接続チャネルセグメント（１１２）は、該入口チャネルセグメント（１１０）と前記第１の分岐路（１１４Ａ，２１４Ａ）とを第１の接続ポータル（１１６）において接続する、
請求項２７に記載の成形用インサートスタックアセンブリ（５０）。
【請求項２９】
前記第１の分岐路（１１４Ａ，２１４Ａ）及び前記第２の分岐路（１１４Ｂ，２１４Ｂ）は、前記効果的な冷却液チャネルの端の間の冷却液流を支持するように構成される、請求項２８に記載の成形用インサートスタックアセンブリ（５０）。
【請求項３０】
前記効果的な冷却液チャネルは、前記成形面（９６）の一部分の外周の大部分の周りに、且つ該一部分の外周にほぼ隣接して延在するように構成される、請求項２９に記載の成形用インサートスタックアセンブリ（５０）。
【請求項３１】
前記金型分割インサートを使用して製造される前記成形品は、プリフォームであり、前記成形面（９６）は、プリフォームネック部に沿って外面を成形するように構成される、請求項３０に記載の成形用インサートスタックアセンブリ（５０）。
【請求項３２】
前記成形面（９６）の前記一部分は、前記プリフォームネック部の肉厚特徴部に対応する、請求項３１に記載の成形用インサートスタックアセンブリ（５０）。
【請求項３３】
前記効果的な冷却液チャネルは、該効果的な冷却液チャネルの第１の端及び第２の端に隣接したプラグ（１３０，２３０）を含むように構成される、請求項２９に記載の成形用インサートスタックアセンブリ（５０）。
【請求項３４】
前記移送冷却液チャネル（１３８，２３８）は、前記仕切り（１３６，２３６）の一方の端と前記プラグ（１３０，２３０）の内面（１４４）との間に構成される、請求項３３に記載の成形用インサートスタックアセンブリ（５０）。
【請求項３５】
前記移送冷却液チャネル（１３８，２３８）は、前記仕切り（１３６，２３６）に構成される、請求項３３に記載の成形用インサートスタックアセンブリ（５０）。
【請求項３６】
前記プラグ（１３０，２３０）は、前記仕切り（１３６，２３６）が内面（１４４）から延在するように構成されているプラグヘッド（１３４）を含む、請求項３５に記載の成形用インサートスタックアセンブリ（５０）。
【請求項３７】
前記仕切り（１３６，２３６）は、前記プラグヘッド（１３４）の長手方向軸に対して傾いていると共に、前記効果的な冷却液チャネルの隣接した内面の輪郭に沿って曲線を付けた外縁（１４０）を有する、請求項３６に記載の成形用インサートスタックアセンブリ（５０）。
【請求項３８】
前記仕切り（１３６，２３６）は、前記本体内に構成される相補的な位置決め部材と協働するように構成される位置決め部材（２４０Ａ，２４０Ｂ）を含む、請求項３５に記載の成形用インサートスタックアセンブリ（５０）。
【請求項３９】
前記金型分割インサート（１０３，２０３）のそれぞれは、前記効果的な冷却液チャネル内に含まれる第２の効果的なチャネルセグメント（１１５，２１５）と、更なる仕切り（１３６，２３６）と、第２の接続冷却液チャネルとを含み、
該更なる仕切りは、該第２の効果的なチャネルセグメント（１１５，２１５）を第３の分岐路（１１５Ｂ，２１５Ｂ）及び第４の分岐路（１１５Ａ，２１５Ａ）に分割し、
該更なる仕切りは、該第３の分岐路（１１５Ｂ，２１５Ｂ）と該第４の分岐路（１１５Ａ，２１５Ａ）の間に更なる移送冷却液チャネル（１３８，２３８）を画定するように構成され、
該第２の接続冷却液チャネルは、出口チャネルセグメント（１１１）と第２の接続チャネルセグメント（１１３）とを含み、
該第２の接続チャネルセグメント（１１３）は、該出口チャネルセグメント（１１１）と前記第４の分岐路（１１５Ａ，２１５Ａ）とを第２の接続ポータルにおいて接続する、
請求項２９に記載の成形用インサートスタックアセンブリ（５０）。
【請求項４０】
前記第１の効果的なチャネルセグメント（１１４，２１４）と前記第２の効果的なチャネルセグメント（１１５，２１５）のうちの１つは、直線方向に延在する、請求項３９に記載の成形用インサートスタックアセンブリ（５０）。
【請求項４１】
前記直線チャネルセグメントは、前記成形面（９６）に対して接線方向である、請求項４０に記載の成形用インサートスタックアセンブリ（５０）。
【請求項４２】
前記第１の効果的なチャネルセグメント（１１４，２１４）と前記第２の効果的なチャネルセグメント（１１５，２１５）のうちの１つは、湾曲して延在する、請求項３９に記載の成形用インサートスタックアセンブリ（５０）。
【請求項４３】
前記湾曲チャネルセグメントは、前記成形面（９６）と同軸上にある、請求項４２に記載の成形用インサートスタックアセンブリ（５０）。
【請求項４４】
前記本体はほぼ矩形のフランジ部分（１０５，２０５）を含み、該フランジ部分は、上面（１７０，２７０）、底面（１７２，２７２）、後面（１６０，２６０）、前方面（１７４，２７４）、第１の側面（１６２，２６２）及び第２の側面（１６４，２６４）を有する、請求項３９に記載の成形用インサートスタックアセンブリ（５０）。
【請求項４５】
前記前方面（１７４，２７４）の少なくとも一部分は、相補的な金型分割インサートの嵌合接続面として構成される、請求項４４に記載の成形用インサートスタックアセンブリ（５０）。
【請求項４６】
前記成形面（９６）は前記前方面（１７４，２７４）に形成される半円筒形の凹みの表面に沿って配置される、請求項４５に記載の成形用インサートスタックアセンブリ（５０）。
【請求項４７】
前記第１の効果的なチャネルセグメント（１１４，２１４）と前記第２の効果的なチャネルセグメント（１１５，２１５）は、前記本体の前記上面（１７０，２７０）と前記底面（１７２，２７２）との間に構成されると共に該上面及び該底面とほぼ平行である、請求項４６に記載の成形用インサートスタックアセンブリ（５０）。
【請求項４８】
前記第１の効果的なチャネルセグメント（１１４，２１４）と前記第２の効果的なチャネルセグメント（１１５，２１５）は、前記本体内で交差するように配置される、請求項４６に記載の成形用インサートスタックアセンブリ（５０）。
【請求項４９】
前記本体は、前記上面（１７０，２７０）及び前記底面（１７２，２７２）のうちの一方から延出する突出部分（１０４，１０６，２０４，２０６）をさらに含む、請求項４８に記載の成形用インサートスタックアセンブリ（５０）。
【請求項５０】
前記突出部分（１０４，１０６，２０４，２０６）の外面は、前記成形用インサートスタックアセンブリ内の前記金型分割インサートを位置合わせするように構成される、請求項４９に記載の成形用インサートスタックアセンブリ（５０）。
【請求項５１】
前記成形面（９６）の一部分は、前記突出部分（１０４，１０６，２０４，２０６）の内面に沿って配置される、請求項５０に記載の成形用インサートスタックアセンブリ（５０）。
【請求項５２】
前記本体は、前記成形用インサートスタックアセンブリ内の前記金型分割インサートを位置合わせするように構成される凹み部分をさらに含む、請求項５０に記載の成形用インサートスタックアセンブリ（５０）。
【請求項５３】
射出成形用金型であって、
金型シューと、
前記金型シュー内に配置される、少なくとも１つの成形用スタックアセンブリ（５０）と
を備え、該成形用スタックアセンブリ（５０）は、
成形キャビティを間に構成する際に協働するように構成される、複数の成形用インサートを備え、該複数の成形用インサートは、相補的な対の金型分割インサート（１０３，２０３）を含み、該金型分割インサート（１０３，２０３）のそれぞれは、
本体と、
前記本体上に構成される成形面（９６）と、
前記本体内に構成される効果的な冷却液チャネルと、
該効果的な冷却液チャネル内に配置された仕切り（１３６，２３６）と
を有し、
該効果的な冷却液チャネルは第１の効果的なチャネルセグメント（１１４，２１４）を含み、
該仕切りは、該第１の効果的なチャネルセグメント（１１４，２１４）を第１の分岐路（１１４Ａ，２１４Ａ）及び第２の分岐路（１１４Ｂ，２１４Ｂ）に分割し、
該仕切り（１３６，２３６）は、該第１の分岐路（１１４Ａ，２１４Ａ）及び該第２の分岐路（１１４Ｂ，２１４Ｂ）とを接続するように移送冷却液チャネル（１３８，２３８）を画定するように構成される、
射出成形用金型。
【請求項５４】
前記金型分割インサート（１０３，２０３）のそれぞれは、第１の接続冷却液チャネルを更に含み、
該第１の接続冷却液チャネルは、入口チャネルセグメント（１１０）と第１の接続チャネルセグメント（１１２）とを含み、
該第１の接続チャネルセグメント（１１２）は、該入口チャネルセグメント（１１０）と前記第１の分岐路（１１４Ａ，２１４Ａ）とを第１の接続ポータル（１１６）において接続する、
請求項５３に記載の射出成形用金型。
【請求項５５】
前記第１の分岐路（１１４Ａ，２１４Ａ）及び前記第２の分岐路（１１４Ｂ，２１４Ｂ）は、前記効果的な冷却液チャネルの端の間の冷却液流を支持するように構成される、請求項５４に記載の射出成形用金型。
【請求項５６】
前記効果的な冷却液チャネルは、前記成形面（９６）の一部分の外周の大部分の周りに、且つ該一部分の外周にほぼ隣接して延在するように構成される、請求項５５に記載の射出成形用金型。
【請求項５７】
前記金型分割インサートを使用して製造される前記成形品は、プリフォームであり、前記成形面（９６）は、プリフォームネック部に沿って外面を成形するように構成される、請求項５６に記載の射出成形用金型。
【請求項５８】
前記成形面（９６）の前記一部分は、前記プリフォームネック部の肉厚特徴部に対応する、請求項５７に記載の射出成形用金型。
【請求項５９】
前記効果的な冷却液チャネルは、該効果的な冷却液チャネルの第１の端及び第２の端に隣接したプラグ（１３０，２３０）を含むように構成される、請求項５５に記載の射出成形用金型。
【請求項６０】
前記移送冷却液チャネル（１３８，２３８）は、前記仕切り（１３６，２３６）の一方の端と前記プラグ（１３０，２３０）の内面（１４４）との間に構成される、請求項５９に記載の射出成形用金型。
【請求項６１】
前記移送冷却液チャネル（１３８，２３８）は、前記仕切り（１３６，２３６）に構成される、請求項５９に記載の射出成形用金型。
【請求項６２】
前記プラグ（１３０，２３０）は、前記仕切り（１３６，２３６）が内面（１４４）から延在するように構成されているプラグヘッド（１３４）を含む、請求項６１に記載の射出成形用金型。
【請求項６３】
前記仕切り（１３６，２３６）は、前記プラグヘッド（１３４）の長手方向軸に対して傾いていると共に、前記効果的な冷却液チャネルの隣接した内面の輪郭（１４０）に沿って曲線を付けた外縁を有する、請求項６２に記載の射出成形用金型。
【請求項６４】
前記仕切り（１３６，２３６）は、前記本体内に構成される相補的な位置決め部材と協働するように構成される位置決め部材（２４０Ａ，２４０Ｂ）を含む、請求項６１に記載の射出成形用金型。
【請求項６５】
前記金型分割インサート（１０３，２０３）のそれぞれは、前記効果的な冷却液チャネル内に含まれる第２の効果的なチャネルセグメント（１１５，２１５）と、更なる仕切り（１３６，２３６）と、第２の接続冷却液チャネルとを含み、
該更なる仕切りは、該第２の効果的なチャネルセグメント（１１５，２１５）を第３の分岐路（１１５Ｂ，２１５Ｂ）及び第４の分岐路（１１５Ａ，２１５Ａ）に分割し、
該更なる仕切りは、該第３の分岐路（１１５Ｂ，２１５Ｂ）と該第４の分岐路（１１５Ａ，２１５Ａ）の間に更なる移送冷却液チャネル（１３８，２３８）を画定するように構成され、
該第２の接続冷却液チャネルは、出口チャネルセグメント（１１１）と第２の接続チャネルセグメント（１１３）とを含み、
該第２の接続チャネルセグメント（１１３）は、該出口チャネルセグメント（１１１）と前記第４の分岐路（１１５Ａ，２１５Ａ）とを第２の接続ポータルにおいて接続する、
請求項５５に記載の射出成形用金型。
【請求項６６】
前記第１の効果的なチャネルセグメント（１１４，２１４）と前記第２の効果的なチャネルセグメント（１１５，２１５）のうちの１つは、直線方向に延在する、請求項６５に記載の射出成形用金型。
【請求項６７】
前記直線チャネルセグメントは、前記成形面（９６）に対して接線方向である、請求項６６に記載の射出成形用金型。
【請求項６８】
前記第１の効果的なチャネルセグメント（１１４，２１４）と前記第２の効果的なチャネルセグメント（１１５，２１５）のうちの１つは、湾曲して延在する、請求項６５に記載の射出成形用金型。
【請求項６９】
前記湾曲チャネルセグメントは、前記成形面（９６）と同心である、請求項６８に記載の射出成形用金型。
【請求項７０】
前記本体はほぼ矩形のフランジ部分（１０５，２０５）を含み、該フランジ部分（１０５，２０５）は、上面（１７０，２７０）、底面（１７２，２７２）、後面（１６０，２６０）、前方面（１７４，２７４）、第１の側面（１６２，２６２）及び第２の側面（１６４，２６４）を有する、請求項６５に記載の射出成形用金型。
【請求項７１】
前記前方面（１７４，２７４）の少なくとも一部分は、相補的な金型分割インサートの嵌合接続面として構成される、請求項７０に記載の射出成形用金型。
【請求項７２】
前記成形面（９６）は前記前方面（１７４，２７４）に形成される半円筒形の凹みの表面に沿って配置される、請求項７１に記載の射出成形用金型。
【請求項７３】
前記第１の効果的なチャネルセグメント（１１４，２１４）と前記第２の効果的なチャネルセグメント（１１５，２１５）は、前記本体の前記上面（１７０，２７０）と前記底面（１７２，２７２）との間に構成されると共に該上面及び該底面とほぼ平行である、請求項７２に記載の射出成形用金型。
【請求項７４】
前記第１の効果的なチャネルセグメント（１１４，２１４）と前記第２の効果的なチャネルセグメント（１１５，２１５）は、前記本体内で交差するように配置される、請求項７２に記載の射出成形用金型。
【請求項７５】
前記本体は、前記上面（１７０，２７０）及び前記底面（１７２，２７２）のうちの一方から延出する突出部分（１０４，１０６，２０４，２０６）をさらに含む、請求項７４に記載の射出成形用金型。
【請求項７６】
前記本体の前記突出部分（１０４，１０６，２０４，２０６）の外面は、前記成形用インサートスタックアセンブリ（５０）内の前記金型分割インサートを位置合わせするように構成される、請求項７５に記載の射出成形用金型。
【請求項７７】
前記成形面（９６）の一部分は、前記突出部分（１０４，１０６，２０４，２０６）の内面に沿って配置される、請求項７６に記載の射出成形用金型。
【請求項７８】
前記本体は、前記成形用インサートスタックアセンブリ（５０）内の前記金型分割インサートを位置合わせするように構成される凹み部分をさらに含む、請求項７６に記載の射出成形用金型。
【国際調査報告】
2008542066.tif 000013
2008542066.tif 000014